Podtech/llm-jp-corpus-v4-ja_patent huggingface dataset:
(57)【要約】【課題】冷却風が冷却装置に対して斜めに通り抜けることを可能とし、従来よりも配置の自由度が高くスムーズに冷却風を流すことを可能にした冷却装置を提供する。【解決手段】冷却装置のフィンやチューブ、またはフィンとチューブの両方を冷却装置本体に対して傾けて配設する。【選択図】  図２
2006306356.tif 000002
【特許請求の範囲】
【請求項１】
フィンやチューブを冷却装置本体に対して傾けて配設したことを特徴とする車両用冷却装置
【請求項２】
冷却風が斜めに通り抜けるよう、フィンやチューブ、又はフィンとチューブ両方を冷却装置本体に対して傾けて配設したことを特徴とする車両用冷却装置
【発明の詳細な説明】
【技術分野】
【０００１】  この発明は、車両用冷却装置に関する。
【背景技術】
【０００２】  自動車や自動二輪車等の車両には、ラジエターやインタークーラーなどのように被冷却流体を冷却風によって冷却する冷却装置を持つものがある。そのなかでも、図５や図６のように冷却装置を進行方向に対して傾斜させて設置したものがあり、こうした配置の冷却装置には、ダクトや導風板で冷却風の向きを変えて冷却装置に冷却風を当てる構造のものがある。このように冷却装置を設置したものとしては、例えば特許公開平６−２７０８７０号公報や特許公開２００３−２４７４２３号公報がある。【０００３】  従来のラジエター等の車両用冷却装置のフィンやチューブは、冷却装置本体に対して直角に配設されている。車両用冷却装置のフィンの構造は、例えば実用新案公開平６−６５７５２がある。
【発明の開示】
【発明が解決しようとする課題】
【０００４】  しかしながら、以上の技術によれば、フィンやチューブが冷却装置に直角に配設されているため、冷却風が冷却装置の通り抜ける際に冷却風の方向を、ダクトの装着により冷却装置と直角方向に変えなければならなかった。冷却風の方向を大きく変えることは、スムーズな空気の流れの抵抗になり、冷却風量の低下や車両全体の空気抵抗の増加を招くという不具合があった。【０００５】  本考案は、冷却風が冷却装置に対して斜めに通り抜けることを可能とし、冷却風の流れを自由に設定できる事により、従来よりも配置の自由度が高く、スムーズに冷却風を流すことを可能にした冷却装置を提供するものである。
【課題を解決するための手段】
【０００６】  以上の課題を解決するために、本発明では、冷却装置のフィンやチューブ、またはフィンとチューブの両方を冷却装置本体に対して傾けて配設したことを特徴とする。【０００７】  上記のフィンやチューブは一層のものに限らず、複数層重ねた物についても同様にフィンやチューブを傾けて配設できる。【０００８】  フィンやチューブを傾けて配設するときの角度は、冷却風の流れをスムーズにするためには進行方向に近づけて向けることが効果的である。また、冷却風が抜ける方向を任意に設定する為に、フィンやチューブを傾けて配設することもできる。
【発明の効果】
【０００９】  本発明は下記に示すような効果を奏する。【００１０】  本発明によれば、ラジエターやインタークーラー、エアコンコンデンサーなどの車両用冷却装置において冷却装置を抜ける冷却風の流れる方向を自由に設定することを可能にする。【００１１】  車両の進行方向に対して傾斜して配設されている車両用冷却装置において、進行方向に対して角度が小さく近くなるようにフィンを傾けることにより、冷却風の流れる方向の変化が少なくなり通風抵抗が減少する。【００１２】  上記のように、通風抵抗が減少し冷却装置を通過する空気流量が増えることにより冷却効果が向上する。
【発明を実施するための最良の形態】
【００１３】この発明の実施の一つの形態について図面を参照して説明すると、図３、図４に示すようにインタークーラー５のフィン１を傾斜させて配設し、図５に示すように車両に装着する。【００１４】  図５はある車両のエンジンルーム内部の図であり、５が本発明を適応したインタークーラー、６はラジエター、１０がボンネット、１５がインタークーラーに当てる冷却風を吸入するエアーインテーク、１８がエアーインテークから吸入した冷却風をインタークーラーに導くダクトである。また、８が本発明を適応しない場合の冷却風の流れ、９が本発明を適応した場合の空気の流れを大まかに現したものである。【００１５】  取り付け方向としては、図３の右側が図５におけるインタークーラー５の手前側に来るように配設する、つまり、空気の流れを現す矢印９の角度にフィンが傾くようにインタークーラー５を配設する。
【発明の効果】
【００１６】  本発明の効果は、フィンやチューブの角度を変化させることで、冷却装置を通過する空気の向きをある範囲の角度で変化させることが可能となることである。
【００１７】  その結果として、この実施形態では、冷却風の進行方向の変化が少なくなり、インタークーラーの通風抵抗が減り、通過する風量が上昇し冷却効率が良くなり、また、車両全体の空気抵抗を低減することができる。
【００１８】    図５の実施形態では、自動車のインタークーラーに使用したが、上述の使用例に限定されるものではなく、他の実施形態では、図６のように二輪車のラジエターに使用するなど、本発明はフィンやチューブを持つ冷却装置に適応できる。
【図面の簡単な説明】
【００１９】
【図１】本発明のラジエターにおける実施形態を示す正面図である。
【図２】図１で示した実施形態の断面図である。
【図３】本発明のインタークーラーにおける実施形態を示す正面図である。
【図４】図３で示した実施形態の断面図である。
【図５】本発明を実施したインタークーラーの自動車への装着例である。
【図６】本発明を実施したラジエターの二輪車への装着例である。
【符号の説明】
【００２０】１  フィン
２  チューブ
３  タンク
４  ラジエターキャップ
５  インタークーラー
６  ラジエター
７  ラジエターカバー
８  本発明を実施しないときの空気の通り道
９  本発明を実施したときの空気の通り道
１０  ボンネット
１１  エンジン
１２  エキゾーストマニホールド
１３  トランスミッション
１４  マフラー
１５  エアーインテーク
１６  タービン
１７  インテークマニホールド
１８  ダクト
１９  インテークパイプ
２０  カウル
２１  エアアウトレット
【図１】
2006306356.tif 000003
【図２】
2006306356.tif 000004
【図３】
2006306356.tif 000005
【図４】
2006306356.tif 000006
【図５】
2006306356.tif 000007
【図６】
2006306356.tif 000008
(57)【要約】      （修正有）【課題】海水浴場、河川、湖沼等の水難事故等に関し、救急救命救援に、容易に活動活躍が出来得る救急救命ボート、コンパクト軽量にて設計製造成し、何処にでも移動、設置出来る救急救命ボートを提供する。【解決手段】左右フロートは低床で風圧を避け、底部は平面で潮流を避け、艪部のフロートを切除、水圧を弱め艪部を水中に水没させ、容易に水難者を乗船成し救急救命ベルトを締め保護、猶水難者の頭部には波除、風防を設置、船底には回転式スクリューを施設、ライフサーバーの手動により起動回転、運行なすものでライフセイバーレンジャー隊員に、装着のフイーンのキック力を付加してより帰港を早める事が出来る。又他船にて曳航時は舳先の波きり部が、浸水を防ぐ為、自動的に上床成し、スムーズな曳航が可能の救急救命ボートである。【選択図】図３
2006306358.tif 000002
【特許請求の範囲】
【請求項１】
海水浴、河川、湖沼、等の水難事故に対し、ライフサーバー、レンジャー隊等の救急救援は不可欠である。
本案は軽量且つコンパクトに設計に成し、然も堅牢に製造され、ライフサーバーの敏捷な操作でケアーが出来得る、特徴の救急救命ボートを提供する。
【請求項２】
「図１−８」救急，救命ボートのライフサーバーは原則として二名が望ましいが一名にても活動、操作運行も可能な特徴の救急、救命ボートを提供。
【請求項３】
水難者の収容にはボートの船尾のフロートを切除した形態に製作成し、艪方の水圧抵抗を弱め、船尾を容易に水没させ「図１−Ｐ」水難者を保護し「３」救急救命ベルトにて確保又、水難者頭部に「２」波よけ，風防カバーを設置成した、特徴の救急救命ボートを提供。
【請求項４】
ボート裏面部に「図２−９」回転作動式のスクリューを設置、手動操作にて起動成し、更にスクリューの回転に「図２−１２」フライホイルを施し、連続回転をホロー回転は「１０」一方向回転歯車を使用、その起動回転に「１１」扇形歯車を施し、延長線上のハンドルをライフサーバー等の手動にて起動運転の出来得る、特徴の救急救命ボートを提供。
【請求項５】
救急救命ボートに水難者を確保の後、船舶等にての曳航には舳先部が水圧に対し浪の抵抗を避ける「図１−１７」波きり部が上昇成し、スムーズな曳航が可能な特徴の救急救命ボートを提供する。
【発明の詳細な説明】
【発明の詳細の説明】
【技術分野】
【０００１】本発明は、海水浴場、河川、湖沼等の水難事故等に関し。救急、救援、収容活動を敏捷に対処出来る、ライフサーバーの監視、レスキュー隊等の救援、救護、に関し救急，救命ボートの必需性に鑑み、コンパクト設計で、軽量で堅牢な救援ボートが、必用である。
【背景技術】
【０００２】従来の水難事故等の救援対策の一貫に浮力体の大型のビート板等を使用の場合が多く、推進力は人的のキックビートによる物が多い、高波、向かえ潮、波浪、の悪条件に打ち勝って行く場合が多々ある水難事故、「図１−Ｐ」水難者にタッチする位置に至る前に、体力の消耗が有り以後の救助救援は、体力、気力、余力等に対する、プレッシャーによるストレスと極度の不安感に襲われる問題等を聞き及びます、必死な水難者にタッチするも限界に近い余力で水難者の身体を抱え片腕でホロー成し自力でのキック、ビート運動による搬送は体力の限界を感じると言う、大変な苦労と必死の努力を察します、この様な問題点の解消を希望します。
【特許文献１】「特開２００３−３１２５８４」
【特許文献２】「特開平１０−１０９６９０」
【発明の開示】
【発明を解決しようとする課題】
【０００３】本発明は上記記載の諸点、諸事情に鑑み先ずはライフサーバー、の救急救援者に関する。
大きな責任感とその疲労度解消を第一目的に感じ
【請求項１】
に記載の、小型軽量コンパクト設計で、堅牢な救急救命ボートの提案をするものである。
【０００４】前述の救援問題に関し救急、救命、救助、救援には原則として二名の連携が望ましいが、一名にても救急救命ボートを操船「図１−２」水難者の頭部を保護の「図１−２」波除け風防を装備成し岸辺に安全曳航成し得る、救急救命ボートに存する。
【発明を解決するための手段】
【発明の効果】
【０００５】
【請求項４】
記載救急救命ボートの裏面部艪方部に回転作動式の「図２−９」回転スクリューを設置、「図１−１４」ハンドルの手動操作にて起動回転成し、更に「図２−１２」フライホイルを施し、連続回転をホローし主軸歯車は「１０」一方向回転歯車を施し、その回転起動伝達に「１１」扇型歯車にて回動、延長線上のハンドルをライフサーバー等の手動にての起動回転推進力で帰港出来る、救急救命ボートに存する。
【０００６】本発明は前述の救急救命に対し、ライフサーバー等の命がけの任務追行に関し。
少なくとも体力の消耗度を軽減する事が慣用である。水難者の位置までの急泳に関し、極度の疲労、悪条件の中にも果敢に挑むライフサーバー、レンジャー隊による水難者の収容作業には、「図２−１６」救命ボートの艪側のフロート部を切除、浮力を弱める構造で、後部を浸水させ、水面の位置で水難者を収容成し、更に「図１−２」救命ベルトを締め「［図２−１４」手動運動による起動、「図２−９」回転スクリューの推進力付け更に「図１−７」ダイバー着用のフイーンで、バタフライキック力等を併用成し、帰港できる救急救命ボートを提供する。
【０００７】本発明の救急救命ボートのサイドフロートは低床にて施し、風圧を避け「図２−１６」底部は平面帯にて潮流にも対応出来、他船による曳航には「図１−１７」舳部を水圧に対して上昇成し、波を切り、舳先の浸水を防ぎ、安全に帰港できる救急救命ボートを提供する。
【産業上の利用可能性】
【０００８】本発明の救急救命ボートは上記に記載の諸条件を兼ね揃え、本体は軽量設計にて製造なし、海水浴場、河川、湖沼、等あらゆる場所にも移動し易く、更にライフサーバー、レンジャー隊の活躍活動に協力を最優先に、容易な操作可能な救急救命ボートを提供します。
【図面の簡単な説明】
【０００９】
【図１】本発明に係る概略の平面図
【図２】本発明に係る概略の装置と部品図
【図３】本発明に係る代表図
【図４】本発明に係る特開文献の参照参考図
【符号の説明】
【００１０】１・ボート
２・波除カバー
３・救命用ベルト
４・空気バルブ
５・曳航用金具
６・取っ手
７・足ヒレ
８・レスキユーサアバー
９・回転スクリュウ
１０・一方向軸歯車
１１・艪回転歯車
１２・フライホイル
１３・軸
１４・手動ハンドル
１５・ハンドル制限枠
１６・底床面
１７・曳航時波除上床折れ込み部
【図１】
2006306358.tif 000003
【図２】
2006306358.tif 000004
【図３】
2006306358.tif 000005
【図４】
2006306358.tif 000006
(57)【要約】【課題】自転車の駆動機構において、ペダルに掛かる駆動力を最大限トルクに活用し、かつ上死点および下死点におけるクランクアームの回転を円滑にする。【解決手段】自転車の駆動機構において、クランクアーム１の末端にクランクアーム１の回転方向へのペダルの回転を不能とする一方向クラッチ５を介してペダルアーム３を取り付けた。【選択図】図１
2006306303.tif 000002
【特許請求の範囲】
【請求項１】
クランクアームの末端にクランクアームの回転方向へのペダルの回転を不能とする一方向クラッチを介してペダルアームを取り付けたことを特徴とする駆動機構。
【発明の詳細な説明】
【技術分野】
【０００１】
この発明は駆動機構に関するものであり、より詳しくはペダルとクランクとからなる自転車用の駆動機構に関するものである。
【背景技術】
【０００２】
従来の上記型式の駆動機構における駆動トルクについて図２により説明する。
【０００３】
図２においてクランクアーム１の末端Ｂにはペダルアーム３が回転可能に取り付けられている。なお図面の簡略のために、ペダルアーム３は前半分のみを図示する。クランクアーム１の長さ（つまりクランクアーム中心Ａと末端Ｂ間の距離）をＬとし、ペダルアーム３の長さ（つまりクランクアーム末端Ｂとペダルアーム末端Ｃ間の距離）をΔＬとする。クランクアーム１の水平方向に対する角度をθとする。
【０００４】
このときペダルを足で踏み込むと駆動力Ｆがペダルに作用するが、ペダルアーム３はクランクアーム１の末端Ｂに対して回転可能なので、実際には駆動力Ｆはクランクアーム１の末端Ｂのみに作用することになる。仮に特に足先に力を集中しても同じことである。
【０００５】
したがってクランクアーム１の中心Ａに作用する駆動トルクＴは次の数式で表わされる。
【０００６】
【数１】
2006306303.tif 000003
【０００７】
クランクアーム回転の上死点においてはθが９０度となるので、ｃｏｓθは０であるからトルクはゼロとなる。また下死点においてはθが−９０度となるので、ｃｏｓθはやはり０であるからトルクはゼロとなる。したがってθが０度のとき、つまりクランクアーム１が水平状態にあるときに、ｃｏｓθは１であり、駆動トルクが最大となる。
【発明の開示】
【発明が解決しようとする課題】
【０００８】
上記のような従来の駆動機構では、ペダルアーム３がクランクアーム１の末端Ｂに対して回転可能なので、実際にはペダルアーム３全体に駆動力Ｆが作用しているにも拘わらず、駆動力はクランクアーム１の末端Ｂのみに作用していることになるから、駆動力Ｆはクランクアーム１の長さＬ相当分しか活用できず、駆動トルクを大きく取ることができない。
【０００９】
また上死点や下死点では上記したように駆動トルクがゼロとなるから、駆動力Ｆが作用していないのと同じ状態となり、クランクアーム１の回転が円滑に行われない。
【００１０】
かかる従来技術の現状に鑑みてこの発明の目的は、ペダルに掛かる駆動力を最大限トルクに活用し、かつ上死点および下死点におけるクランクアームの回転を円滑にすることにある。
【課題を解決するための手段】
【００１１】
このためこの発明の駆動機構においては、クランクアームの末端にクランクアームの回転方向へのペダルの回転を不能とする一方向クラッチを介してペダルアームを取り付けたことを要旨とする。
【発明の効果】
【００１２】
クランクアームの長さＬのみならず、ペダルアームの長さΔＬをも駆動トルクに活用することができるので、駆動トルクを大きく取ることができ、かつ上死点や下死点においても駆動トルクがゼロとならないのでクランクアームの回転を円滑にできる。
【実施例１】
【００１３】
図１にこの発明の駆動機構の構成を示す。基本的には図２に示す従来の駆動機構と同じであるが、ペダルアーム３はクランクアーム１の末端Ｂに一方向クラッチ５を介して取り付けられている。この一方向クラッチ５はクランクアーム１の回転方向へのペダルの回転を不能とするものである。
【００１４】
つまりペダルに作用する駆動力Ｆはクランクアーム１の末端Ｂではなく、ペダルアーム３の末端Ｃに作用させることができる。したがってペダルアーム１の長さΔＬを活用できない従来のメカニズムとは異なって、ペダルアーム３の長さΔＬをも駆動トルクに活用することができるのである。
【００１５】
各部について図２の場合と同じ記号を使用する。ペダルアーム３の水平方向に対する角度をαとする。このときクランクアーム１の中心Ａに作用する駆動トルクＴは次の数式で表わされる。
【００１６】
【数２】
2006306303.tif 000004
【００１７】
数式１の場合と比べると、Ｆ・ΔＬｃｏｓαだけ多く駆動力Ｆが駆動トルクＴに活用されていることになる。
【００１８】
上死点つまりθ＝９０度のときにはｃｏｓθ＝０であるから、Ｆ・Ｌｃｏｓθはゼロとなる。しかしＦ・ΔＬｃｏｓαを作用させることにより駆動トルクはゼロとはならず、クランクアーム１の回転は円滑となる。
【００１９】
下死点つまりθ＝−９０度のときにはｃｏｓθ＝０であるから、同様にＦ・Ｌｃｏｓθはゼロとなる。しかしＦ・ΔＬｃｏｓαを作用させることにより駆動トルクはゼロとはならず、クランクアーム１の回転は円滑となる。
【００２０】
クランクアーム１が水平状態にあるときに、ｃｏｓθは１であり、α＝０とすることによりＴ＝Ｆ・Ｌ＋Ｆ・ΔＬとなり駆動トルクが最大となる。
【産業上の利用可能性】
【００２１】
この発明の駆動機構は自転車のみに限らず足でペダルを踏んで駆動トルクを作用させる型式の駆動機構に広く採用することができる。
【図面の簡単な説明】
【００２２】
【図１】この発明の自転車駆動機構の構成を示す模型図である。
【図２】従来の自転車駆動機構の構成を示す模型図である。
【符号の説明】
【００２３】
１  ：  クランクアーム
３  ：  ペダルアーム
５  ：  一方向クラッチ
Ｌ  ：  クランクアームの長さ
ΔＬ：  ペダルアームの長さ
Ｆ  ：  駆動力
Ｔ  ：  駆動トルク
【図１】
2006306303.tif 000005
【図２】
2006306303.tif 000006
(57)【要約】【課題】  本を開いた時に自然に閉じるのを防ぎかつページが簡単にめくれるようにする。【解決手段】  スプリング６によって押し上げている押上げ板５の力に打ち勝つように保持した保持板１及び保持板３と押し上げ板５の間に本８を挟みそれを両側にもうけた物である。  このようにすれば、手又は不安定な物を置く必要は無く、ページを換える時は本８の上から軽く押し下げて引き抜き反対の押さえ部分に押し下げながら差し込むことによって可能になる。支持板１、及び保持板３は可動なので本の厚みの変化及び位置の変化にも対応できる。【選択図】  図２
2006306002.tif 000002
【特許請求の範囲】
【請求項１】
スプリングを利用して、下から押し上げる板と保持板の間に開いた本の片側をそれぞれ挟み自然に閉じることを、防ぐ器具。
【請求項２】
保持板を２つのリンクに分割して調整可能とした器具。
【発明の詳細な説明】
【発明の詳細な説明】
本発明は新しい本等が自然に閉じる事を防ぎかつページを簡単にめくれるようにした器具である。
従来、新しい本又は紙の厚い本では自然に閉じ読む時に手で押さえたり物を乗せたりしなければならず、苦労を伴っていた。
本発明は本の開いているページを保持することによって両手を自由に他の作業に使えるようにした器具で、それを図面について説明すれば、スプリング６によって押し上げている押上げ板５の力に打ち勝つように保持した保持板１、および保持板３と押し上げ板５の間に本８を挟みそれを両側にもうけた物である。
このようにすれば、手又は不安定な物を置く必要は無く、ページを換える時は本８の上から軽く指で本を押し下げて引き抜き反対の押さえ部分に軽く指で本を押し下げながら差し込むことによって可能になる。保持板１、及び保持板２は支点２と支点４により自由に固定できるので本の厚み及び抑える位置の変化にも対応できる。
【技術分野】生活必需品
【背景技術】比較する技術は存在しない。
【発明が解決しようとする課題】
本を読むときに自然に閉じようとする事を防ぎ簡単にページをめくる事が出来る事
【課題を解決するための手段】
スプリング６で押し上げた押し上げ板５をもうけ又保持板１、及び保持板３を自由な位置に固定出来る様にした。
【発明を解決するための手段】
自由な位置に固定できるようにした可動の保持板１及び保持板３をもうけスプリング６で押し上げた押し上げ板５との間に本８の片側を挟みそれを左右２個もうける。
【実施例】スプリング６によって押し上げている押上げ板５の力に打ち勝つように保持した支持板１、及び３と押し上げ板５の間に本８を挟みそれを両側にもうけた物である。
【発明の効果】
手又は不安定な物を置く必要は無く、ページを換える時は本４の上から軽く押し下げて引き抜き反対の押さえ部分に押し下げながら差し込むことによって可能になる。保持板１及び保持板３は可動なので本の厚みの変化及び位置にも対応できる。
【図面の簡単な説明】
【図１】実施例を示す本と器具の上面図
【図２】実施例を示す本と器具の側面図
【符号の説明】
「１    保持板」
「２    支点」
「３    保持板」
「４    支点」
「５    押上げ板」
「６    スプリング」
「７    台」
「８    本」
「９    ストッパー」
【図１】
2006306002.tif 000003
【図２】
2006306002.tif 000004
(57)【要約】【課題】資料ファイルの組み替えや、途中ページの増減、差し替えを容易にして、全ページ一目の閲覧を可能とするクリアファイル、及びファイルの接続方法を提供するものである。【解決手段】印刷用紙や写真サイズ等が収納出来るサイズの、両面クリアなポケットの両側に、脱着可能にして、折り曲げ自在の接続部を設け、蛇腹折りにたたんで、ファイル状に収納する。【選択図】図  １
2006306005.tif 000002
【特許請求の範囲】
【請求項１】
脱着、組み替え自在の、クリアなポケットで構成されるファイル。
【請求項２】
クリアポケットの両側を、接続と切り離し、及び、折り曲げを可能にした、請求項１の接続装置。及び接続方法。
【請求項３】
一ページ目のクリアポケットの片側に、リング用穴を施すことで、従来の差し替え式の、リング用クリアファイルに併用を可能とした。
【発明の詳細な説明】
【技術分野】本発明は、脱着可能で、折り曲げ可能な接続部を有する、ポケットで構成される、クリアファイルに関するものである。
【背景技術】従来のクリアファイルは、ノート形式による、固定式や差し替え式にとどまっており、目的ごとに、資料の組み換えや、途中ページの増減、全ページ一目の閲覧は不便であった。尚、先行技術が示す、実用新案登録第３０７６２６６号のロングクリアファイルに於いても、ページごとの脱着は不能にて、本発明の目的には至っていない。
【発明の開示】
本発明は、資料の内容や順序の組み換え自在による利便性を持って、資料を一目で閲覧を可能とする、閲覧性を提供する事にある。
【発明が解決しようとする課題】
クリアファイル一ページごとの、折り曲げを可能とする脱着可能な接続方法を以って、従来のクリアファイルでは不可能であった性能を解決する為に発明されたものである。
【課題を解決する為の手段】
接続と切り離しが、繰り返し出来るよう、柔軟性を有する、ファイルと同材質や、合成樹脂材などにより、接続部が折り曲がり出来る為の接続部を設けた事である。
【発明の効果】
１  組み替え差し替えが自在に出来るため、目的に応じて必要な資料の表示順序や組み立てが容易に出来る。
２  一連の資料を一目で閲覧出来る事から、展示性、表示性に優れ、瞬時に資料の比較検討や、内容の変化等、理解を深める事が出来る。
３  資料のコピーが必要時、保存状態のまま、必要ページを容易にコピーする事が可能である。
４  従来の差し替え式であるリング式の２穴や４穴、２０穴や３０穴の表紙にも、本考案の一ページ目のクリアポケットの片側に、穴あけ加工を施す事により、利用可能となる。
５  一連の定まった大きさのポケットの途中に、写真や資料の大きさの違う寸法のポケットを、差込みや接続も可能である。
６  印刷巾の長い資料も、各クリアなポケットの巾に加工する事をもって、一目で全体閲覧を可能にて、収納できる。
７，本発明の、脱着と折り曲がりを可能とする接続方法は、他に利用可能である。
【発明を実施するための最良の形態】
【図面の簡単な説明】〔図１〕  本発明の使用状況を示す説明図
〔図２〕  本発明の接続部分拡大図
〔図３〕  本発明の接続部詳細平面図
〔図４〕  本発明の接続部詳細断面図
【符号の説明】
１  両面クリアポケット
２  接続部  凸状円錐部
３  接続部  凹状円錐部
４  ファイル表紙
2006306005.tif 000003
【図１】
2006306005.tif 000004
【図２】
2006306005.tif 000005
【図３】
2006306005.tif 000006
【図４】
2006306005.tif 000007
【手続補正書】
【提出日】平成17年7月25日(2005.7.25)
【手続補正１】
【補正対象書類名】明細書
【補正対象項目名】全文
【補正方法】変更
【補正の内容】
【発明の詳細な説明】
【技術分野】
【０００１】本発明は、脱着可能で、折り曲げ可能な接続部を有する、ポケットで構成される、クリアファイルに関するものである。
背景技術  従来のクリアファイルは、ノート形式による、固定式や差し替え式にとどまっており、目的ごとに、資料の組み換えや、途中ページの増減、全ページ一目の閲覧は不便であった。
尚、先行技術が示す、実用新案登録第３０７６２６６号のロングクリアファイルに於いても、ページごとの脱着は不能にて、本発明の目的には至っていない。
考案の開示  本発明は、資料の内容や順序の組み換え自在による利便性を持って、資料を一目で閲覧を可能とする、閲覧性を提供する事にある。
発明が解決しようとする課題
クリアファイル一ページごとの、折り曲げを可能とする脱着可能な接続方法を以って、従来のクリアファイルでは不可能であった性能を解決する為に発明されたものである。
課題を解決する為の手段
接続と切り離しが、繰り返し出来るよう、柔軟性を有する、ファイルと同材質や、合成樹脂材などにより、接続部が折り曲がり出来る為の接続部を設けた事である。
発明の効果
１  組み替え差し替えが自在に出来るため、目的に応じて必要な資料の表示順序や組み立てが容易に出来る。
２  一連の資料を一目で閲覧出来る事から、展示性、表示性に優れ、瞬時に資料の比較検討や、内容の変化等、理解を深める事が出来る。
３  資料のコピーが必要時、保存状態のまま、必要ページを容易にコピーする事が可能である。
４  従来の差し替え式であるリング式の２穴や４穴、２０穴や３０穴の表紙にも、本考案の一ページ目のクリアポケットの片側に、穴あけ加工を施す事により、利用可能となる。
５  一連の定まった大きさのポケットの途中に、写真や資料の大きさの違う寸法のポケットを、差込みや接続も可能である。
６  印刷巾の長い資料も、各クリアなポケットの巾に加工する事をもって、一目で全体閲覧を可能にて、収納できる。
７，本発明の、脱着と折り曲がりを可能とする接続方法は、他に利用可能である。
【図面の簡単な説明】
【図１】本発明の使用状況を示す説明図
【図２】本発明の接続部分拡大図
【図３】本発明の接続部詳細平面図
【図４】本発明の接続部詳細断面図
【符号の説明】
１  両面クリアポケット
２  接続部  凸状円錐部
３  接続部  凹状円錐部
４  ファイル表紙
(57)【要約】    【課題】耐衝撃性、耐熱性、並びに剛性の不足を補うことの可能な合成樹脂製の車両用アンダーカバーを提供する。    【解決手段】車体の床下における燃料タンク２と燃料配管（金属パイプ３）とを合成樹脂製チューブ４で連結した部分の下方に配置される合成樹脂材で形成された車両用アンダーカバー１において、合成樹脂製チューブを臨む面に金属板（バッフルプレート５）を積層して固定すると共に、金属板が積層された部分を車体に固定するものとする。これにより、重量の増大を最低限に抑えた上で所期の耐衝撃性、耐熱性、並びに剛性を確保することができ、しかも、アンダーカバーの剛性が高まることによってアンダーカバーの車体への結合点を減らすことができる。【選択図】図１
2006306253.tif 000002
【特許請求の範囲】
【請求項１】
車体の床下における燃料タンクと燃料配管とを合成樹脂製チューブで連結した部分の下方に配置される合成樹脂材で形成された車両用アンダーカバーであって、
前記合成樹脂製チューブを臨む面に金属板を積層して固定すると共に、
前記金属板が積層された部分を前記車体に固定することを特徴とする車両用アンダーカバー。
【発明の詳細な説明】
【技術分野】
【０００１】
本発明は、車体の下面を覆う車両用アンダーカバーに関するものである。
【背景技術】
【０００２】
タイヤが跳ね上げる水しぶきや飛石からエンジンルームなどを保護するために、また車両の下面の凹凸を覆うことで平坦化して空力特性を向上させるために、アンダーカバーを車体の下面に設けることが知られている（特許文献１、２を参照されたい）。
【特許文献１】特開平８−２７６８６７号公報
【特許文献２】特開２００１−０１８８５１号公報
【発明の開示】
【発明が解決しようとする課題】
【０００３】
近年、車体を軽量化して燃料消費率のより一層の向上を図るべく、アンダーカバーも合成樹脂化する機運が高まりつつある。しかし、耐熱性や靱性の点で合成樹脂材が金属材に劣ることは如何ともし難く、これがアンダーカバーの合成樹脂化を妨げる要因となっていた。
【０００４】
本発明は、このような従来技術の不都合を解消すべく案出されたものであり、その主な目的は、耐衝撃性、耐熱性、並びに剛性の不足を補うことの可能な合成樹脂製の車両用アンダーカバーを提供することにある。
【課題を解決するための手段】
【０００５】
このような課題を解決するため、本発明は、車体の床下における燃料タンク２と燃料配管（金属パイプ３）とを合成樹脂製チューブ４で連結した部分の下方に配置される合成樹脂材で形成された車両用アンダーカバー１において、合成樹脂製チューブを臨む面に金属板（バッフルプレート５）を積層して固定すると共に、金属板が積層された部分を車体（クロスメンバ７）に固定することを特徴とするものとした。
【発明の効果】
【０００６】
このような本発明によれば、要所のみに金属板を積層するので、重量の増大を最低限に抑えた上で所期の耐衝撃性、耐熱性、並びに剛性を確保することができる。しかも、アンダーカバーの剛性が高まることによってアンダーカバーの車体への結合点を減らすことができるので、製造工数の削減にも効果的である。
【発明を実施するための最良の形態】
【０００７】
以下に添付の図面を参照して本発明について詳細に説明する。
【０００８】
図１は、本発明が適用されたアンダーカバーの取付部の縦断面図である。このアンダーカバー１は、合成樹脂材で形成されており、例えば上記文献２に開示されたもののように、分割形成された複数の部分にて車体下面のほぼ全てを覆うように構成されたものに適用することができ、特に、車体の床下に配設された燃料タンク２の下面を覆うものに最適である。
【０００９】
燃料タンク２と燃料注入口（図示せず）との間、及び燃料タンク２とエンジン（図示せず）との間は、金属製のパイプ３で連結されている。そして燃料タンク２と金属製パイプ３との間に製造誤差や組み付け誤差があっても両者の接続に支障が生じないように、また両者の熱膨張率や振動周波数の違いに起因して生ずる内部応力を吸収するために、燃料タンク２と金属製パイプ３との間は、軟質合成樹脂材で蛇腹様に形成された可撓チューブ４で連結されている。
【００１０】
アンダーカバー１における可撓チューブ４の取付部を臨む面には、鋼板などで形成されたバッフルプレート５が積層されている。
【００１１】
バッフルプレート５は、合成樹脂製のアンダーカバー１に対し、リベット６を用いて要所が固定されている。そしてバッフルプレート５の積層された部位をもって、クロスメンバ７などの車体の高剛性な部分にボルト止めされている。
【００１２】
クロスメンバ７はチャンネル状なし、図２に示すように、その上面に溶接ナット８が固設されている。この溶接ナット８にアンダーカバー４の下方からボルト９を螺着することにより、クロスメンバ７にアンダーカバー１が固定される。なお、アンダーカバー１におけるボルト挿入孔は、下向きに凹となる窪み１０の中心に設けられており、アンダーカバー１を車体に固定するボルト９の頭がアンダーカバー１の下面から突出しないようにされている。
【００１３】
バッフルプレート１の端縁部には、図３に示すように縁曲げ加工されて上向きに凸となる半カール部１１が形成されている。これにより、金属製のバッフルプレート５の縁が接触して金属製パイプ３が損傷することが防止される。
【００１４】
アンダーカバー１の上面に侵入した水が抜けるように、図４、５に示すように、アンダーカバー１の適所には、水抜き孔１２が開設される。この水抜き孔１２は、長円形あるいは矩形とされ、進行方向の後側の上面に傾斜壁１３を設けると共に、水抜き孔１２を横切るリブ１４を設けてある。このリブ１４により、アンダーカバー１の下面を流れる空気が水抜き孔１２からアンダーカバー１の上方に流れ込むことを抑制し、気流が水抜き孔１２を通過する際の笛吹現象による発音を防止している。
【００１５】
このようにして、本発明によれば、金属製のバッフルプレート５をアンダーカバー１の要所のみに積層することにより、所期の耐衝撃性、耐熱性、並びに剛性を、重量の増大を招かずに確保することができる。従って、特に燃料配管の保護に最適である。また、アンダーカバー１の剛性が高まるので、アンダーカバー１の車体への結合点を減らして製造工数の削減をも企図することができる。
【図面の簡単な説明】
【００１６】
【図１】本発明によるアンダーカバーの適用部位の要部縦断面図である。
【図２】クロスメンバに対するアンダーカバーの取付部の拡大断面図である。
【図３】バッフルプレートの端縁部の拡大断面図である。
【図４】水抜き孔の拡大斜視図である。
【図５】水抜き孔の拡大断面図である。
【符号の説明】
【００１７】
１  アンダーカバー
２  燃料タンク
３  金属パイプ
４  可撓チューブ
５  バッフルプレート
６  リベット
７  クロスメンバ
８  溶接ナット
９  ボルト
【図１】
2006306253.tif 000003
【図２】
2006306253.tif 000004
【図３】
2006306253.tif 000005
【図４】
2006306253.tif 000006
【図５】
2006306253.tif 000007
(57)【要約】【課題】      従来主に卓上で使用されている、テーブルランプや液体キャンドル専用燃料を燃焼させる事を目的とした、自立型の芯器具を開発する。【解決手段】  中央上部に穴の開いた台座（１）に筒状の棒（３）を取り付け、その中にヒモ芯（５）を入れた自立型の芯器具をつくり提供する。【選択図】    図１
2006022292.tif 000002
【特許請求の範囲】
【請求項１】
〔図１〕中央上部に穴の開いた台座（１）に筒状の棒（３）を取り付け、その中にヒモ芯（５）を通す。
以上のごとく構成された、卓上間接照明用の液体燃料を燃焼させる事を目的とする自立型の芯器具
【発明の詳細な説明】
【技術分野】
【０００１】  この発明は、飲食店や一般家庭などの主に卓上で使用されている、テーブルランプや液体キャンドル用の、引火性がない性質をもつ専用液体燃料を燃焼させる為の器具で、筒状の棒に開けた穴に芯を取り付けた、自立型の芯器具に関するものである。
【背景技術】
【０００２】  従来、主に卓上で間接照明に使用されているものは次に挙げるものが主流である。
引火性がない性質をもつ専用の液体燃料を用いて使用するオイルランプ。
キャンドルホルダーに入れて使用するティーライトキャンドルやろうそく。
専用の液体燃料に使い捨ての専用芯を浮かべて使用するフローティングキャンドル。
しかしテーブルランプについては、従来日本国内で販売されているものは全般的にその種類が少なく、大きさやデザイン面、価格面での選択肢は狭かった。またこれは比較的長時間燃焼できるという長所があるが、サイズ面でやや大きく場所を取る欠点があった。
ティーライトキャンドルについては、小スペースで使用可能だが、一般的に４時間から６時間で燃え尽きてしまうという欠点があった。また芯については品質が一定でなく途中で倒れてしまうなど最後まで使い切れない欠点もあった。
フローティングキャンドルについては専用芯を用いて使用するがそれは使い捨てになっており、専用液体燃料・芯ともにランニングコストが高かった。
それでもこれらに変わる適当なものがないため、いずれかを利用しているのが現状である。
【発明の開示】
【発明が解決しようとする課題】
【０００３】  本発明は、これらの欠点を除くために次に挙げる事柄を目的とした。
一般に市販されている耐熱性の器を、幅広く照明用の道具として利用できるような形態の自立型の芯器具をつくる。
燃焼時間数を長短自由に調整できるようにする。
炎の大きさや明るさを自由に調整できるようにする。
繰り返し使用しても消耗しにくく丈夫で安全な芯器具をつくる。
手軽で簡単に間接照明を楽しめるようにする。
以上のような長所のある自立型の芯器具を開発することを目的とする。
【課題を解決するための手段】
【０００４】  これを図面について説明すれば、〔図１〕中央上部に穴の開いた台座（１）に筒状の棒（３）を取り付け、その中にヒモ芯（５）を入れた自立型の芯器具である。
以上のような構成からなる自立型の芯器具をさまざまな耐熱性の器に入れ、その中にテーブルランプ及び液体キャンドル用の引火性がない性質をもつ液体燃料を直接注ぎ入れると、切り込み穴（２）及び穴（４）から出ている芯が液体燃料を吸い上げて燃焼させることが可能になると考えた。
また芯の出し入れの長さで炎の大きさや明るさを自由に調整することが可能となる。
【発明の効果】
【０００５】  本発明はこのような構成だから、一般に市販されている耐熱性の器を幅広く照明用の道具として利用でき、コスト面デザイン面においてもより幅広い選択が可能になる。
しかも耐熱性の器に入れる液体燃料の量を自由に加減できるので希望にかなう時間数燃焼させることができる。
芯の出し入れの長さは自由に調整できるので炎の大きさや明るさを希望通りに調整することができる。またそのことによって思い通りの燃費調整が実現できる。
燃料は手軽に継ぎ足すことができるので、使い残しがなく無駄なく経済的である。
使用するテーブルランプ及び液体キャンドル用の専用液体燃料は引火性、揮発性がないので安全面においても問題はないといえる。
【発明を実施するための最良の形態】
【０００６】  以下、本発明の実施の形態を説明する。
〔図１〕中央上部に穴の開いた台座（１）に、筒状の棒（３）を取り付ける。
筒状の棒（３）の上部からヒモ芯（５）を入れ、切り込み穴（２）から出す。
筒状の棒（３）には穴（４）をあけておく。
以上のような形態の自立型の芯器具をつくる。
切り込み穴（２）及び穴（４）から出ている芯が液体燃料を吸い上げて燃焼させることが可能になる。
本発明は以上のような構造で、これを使用する時は〔図２〕の実施例ように、耐熱性の器（１）に本発明の自立型芯器具（２）を入れ、テーブルランプ及び液体キャンドル用の専用液体燃料（３）を直接注ぎ入れ着火して使用する。
〔図１〕中央上部に穴の開いた台座（１）は円形でなく四角形・三角形など様々な形でもよい。
中央上部に穴のあいた台座（１）と筒状の棒（２）は金属やガラスなど硬度が高く不燃性の材料を使用する。
中央上部に穴のあいた台座（１）と筒状の棒（２）は必ずしも別々のものではなく、使用実例として円柱形自立型の芯器具〔図３〕や円錐形自立型の芯器具〔図４〕・立方形自立型の芯器具〔図５〕のような形態のものでも可能である。
【図面の簡単な説明】
【０００７】
【図１】本発明の斜視図である
【図２】本発明の実施例を示す斜視図である
【図３】本発明の実施例を示す斜視図である
【図４】本発明の実施例を示す斜視図である
【図５】本発明の実施例を示す斜視図である
【符号の説明】
【０００８】
【図１】
（１）中央上部に穴の開いた台座
（２）切り込み穴
（３）筒状の棒
（４）穴
（５）ヒモ芯
【図２】
（１）耐熱性の器
（２）本発明の自立型の芯器具
（３）テーブルランプ及び液体キャンドル用の専用液体燃料
【図３】
（１）円柱形自立型の芯器具
【図４】
（１）円錐形自立型の芯器具
【図５】
（１）立方形自立型の芯器具
【図１】
2006022292.tif 000003
【図２】
2006022292.tif 000004
【図３】
2006022292.tif 000005
【図４】
2006022292.tif 000006
【図５】
2006022292.tif 000007
(57)【要約】      （修正有）【課題】ボルトがゆるまないように、ボルト頭にピン用穴、ピン、ピンおさえを装着して締結する不随意ゆるみ防止ボルトを提供する。【解決手段】不随意ゆるみ防止ボルト本体（１）のボルト頭にピン用穴（２）を設け、締結時にそこからピン（４）を入れ、またそのボルト頭にピンおさえがけ突起（３）を設け、そこにピンおさえ（６）をひっかけてピン（４）の頭をおさえる不随意ゆるみ防止ボルトを特徴とする。【選択図】図４
2006022942.tif 000002
【特許請求の範囲】
【請求項１】
（イ）締結時にピン（４）を通すピン用穴（２）と、ピン（４）の頭をおさえるピンおさえ（６）をひっかけるピンおさえがけ突起（３）とを有する不随意ゆるみ防止ボルト本体（１）（ロ）ピン（４）（ハ）ピンおさえ（６）  以上の構成よりなる不随意ゆるみ防止ボルト
【発明の詳細な説明】
【発明の詳細な説明】
【０００１】  ［発明の属する技術分野］  この発明は不随意ゆるみ防止ボルト本体のピン用穴にピンを通して、そのピンの頭をピンおさえがけ突起にひっかけたピンおさえでおさえて締結する不随意ゆるみ防止ボルトに関するものである。
【０００２】  ［従来の技術］  従来、ボルト自体にはゆるみ止め機能がなく、ボルトがゆるまないようにするのには、舌をつけるとか溶接するとか分解時に必ず破壊をともなう形式であった。
【０００３】  ［発明が解決しようとする課題］  これは次のような欠点があった。  従来、ボルトにはゆるみ止め機能がなく、しかるべき力でしめていても長期間放置しておくと、振動等による一時的な摩擦力の変化のつみかさねで、本来の機能が失われるほどゆるんでしまうという問題があった。また舌をつけたり、ボルトの頭を締結対象に溶接したりするかつてのゆるみ止めの手法は、分解のたびに破壊をともなっていたので、省資源・省エネルギーの面で問題があった。  本発明は以上のような欠点をなくすためになされたものである。
【０００４】  ［課題を解決するための手段］  締結時に不随意ゆるみ防止ボルト本体（１）のピン用穴（２）から手前側の締結対象にピン（４）を入れ、ピンおさえがけ突起（３）にひっかけたピンおさえ（６）でその頭をおさえさせる。  本発明は、以上の構成によりなる不随意ゆるみ防止ボルトである。
【０００５】  ［発明の実施の形態］  以下、本発明の実施の形態について説明する。  手前側の締結対象に、不随意ゆるみ防止ボルト本体（１）の締結後、それのピン用穴（２）に同径のドリルを通して、深さ１．５ｍｍの穴をあけ、ドリルを抜いた後のピン用穴（２）からその新しくできた穴までピン（４）を奥までさし込み、ピンおさえ（６）をピンおさえがけ突起（３）にひっかけてそれでピン（４）の頭をおさえさせる。
【０００６】  ［発明の効果］  以上のことにより、この不随意ゆるみ防止ボルトは、その締結組み立て後、（イ）それがほっといていてもゆるむ心配が全くない（ロ）非破壊分解できることから、分解した後も同じものを繰り返し使って、再び締結しなおせるので省資源にもなるというメリットもある。
【図面の簡単な説明】
【図１】本発明の不随意ゆるみ防止ボルト本体（１）の正面図と右側面図である。
【図２】本発明のピン（４）の正面図と右側面図である。
【図３】本発明のピンおさえ（６）の図面である。
【図４】本発明の組み立て図としての断面図を含む正面図と右側面図である。
【符号の説明】
１……不随意ゆるみ防止ボルト本体２……ピン用穴３……ピンおさえがけ突起４……ピン５……ピン抜き用めねじ６……ピンおさえ（ばね鋼製）
【図１】
2006022942.tif 000003
【図２】
2006022942.tif 000004
【図３】
2006022942.tif 000005
【図４】
2006022942.tif 000006
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
ていけつ時に、ピン用穴（２）にピン（４）を通し、ピンおさえ（ばね鋼製）（６）をピンおさえがけ突起（３）に、そのピンおさえ（ばね鋼製）（６）の弾性復元力によってひっかけて固定し、それでピン（４）が自然には抜けないように、そのピン（４）の頭をおさえさせる不随意ゆるみ防止ボルト
(57)【要約】【課題】ガスメータで検出したガスの流れの異常をガイダンス文章で伝送することで、その異常に的確に対応できるようにしたものである。【解決手段】ガス通路１の途中にガスメータ２がガスの流れの異常を測定すると、制御部３がそれを検知して記憶部４より該当するガイダンス文章を呼び出し、通信部４から、例えば宅内情報盤へ伝送するようにしている。記憶部４は想定されるガスの流れの異常情報をガイダンス文章として記憶しており、ガスメータ３によるガス流計測をもとに制御部３が異常と判断したとき、その異常の種類に適合したガイダンス文章をその都度記憶部４から呼び出し、通信部５から伝送する。【選択図】図１
2006022974.tif 000002
【特許請求の範囲】
【請求項１】
ガスメータの動作情報に対応するガイダンス文章を記憶するための記憶部と、ガスメータの動作検出に対応する前記ガイダンス文章を記憶部より読み出す制御部と、前記読み出したガイダンス文章を伝送する通信部とを具備したガス保安システム。
【請求項２】
読み出したガイダンス文章を暗号化して伝送するようにした請求項１記載のガス保安システム。
【請求項３】
記憶部より読み出すガイダンス文章を外部から選択設定できるように、選択設定入力手段を制御部に設けた請求項１記載のガス保安システム。
【発明の詳細な説明】
【技術分野】
【０００１】
本発明は、ガスメータの動作情報を所定箇所に通信部を介して伝送し、異常発生時などに速やか、かつ的確な対応を可能にしたガス保安システムに関するものである。
【背景技術】
【０００２】
従来、この種のガス保安システムは、ガスメータがガス流量などの異常を検出したとき、その情報を数値化して伝送するようにしていた（例えば、特許文献１参照）。
【０００３】
具体的には、図２に示すように、ガス流路２１に接続したガスメータ２２で検知したガスの流れ状況から制御部２３が流量の異常などを判定し、その結果を数値化して通信部２４を介して宅内情報盤に伝送するようにしていた。
【特許文献１】特開平１０−１２２９２７号公報
【発明の開示】
【発明が解決しようとする課題】
【０００４】
しかしながら、前記従来のガス保安システムにあっては、伝送されるデータが数値化してあるため、異常の詳細が直ちに判別できず、そのため、ガス保安業者などへの伝達に手間がかかり迅速なる対応ができない問題があった。
【０００５】
本発明はこのような従来の課題を解決したもので、異常発生時の処置判断が的確にできるようにして利便性を大いに高めたものである。
【課題を解決するための手段】
【０００６】
前記従来の課題を解決するために、本発明のガス保安装置は、ガスメータの動作情報に対応するガイダンス文章を記憶するための記憶部と、ガスメータの動作検出に対応する前記ガイダンス文章を記憶部より読み出す制御部と、前記読み出したガイダンス文章を伝送する通信部とを具備したもので、異常発生時の対応を迅速、かつ的確にできるようにしたものである。
【発明の効果】
【０００７】
本発明のガス保安システムは、ガスメータの動作検出に対応するガイダンス文章を記憶部より読み出し、それを通信部を介して伝送するようにしたものであるから、異常発生時の対応が的確にできるようになり、ガス保安上優れた効果を奏するものである。
【発明を実施するための最良の形態】
【０００８】
第１の発明は、ガスメータの動作情報に対応するガイダンス文章を記憶するための記憶部と、ガスメータの動作検出に対応する前記ガイダンス文章を記憶部より読み出す制御部と、前記読み出したガイダンス文章を伝送する通信部とを具備したもので、これにより、ガスメータの異常検出時の対処方法を、例えば宅内情報盤などで容易に確認することができ、大いにその利便性を高めることができるものである。
【０００９】
第２の発明は、読み出したガイダンス文章を暗号化して伝送するようにしたもので、無線通信手段を使用してテキストデータを送信する場合でも盗み読まれることを防止でき、隠匿性を高めることもできるものである。
【００１０】
第３の発明は、記憶部より読み出すガイダンス文章を外部から選択設定できるように、選択設定入力手段を制御部に設けたもので、ガスメータに何らかの異常があった場合にガス事業者（保安業者）の処理判断の運用方法をより柔軟に設定することができる。
【００１１】
（実施の形態１）
図１において、ガス通路１の途中にガスメータ２が接続してあり、ガスの流れを監視するようにしている。そして、上記ガスメータ２によるガスの流れに異常があると、制御部３がそれを検知して記憶部４より該当するガイダンス文章を呼び出し、通信部５から、例えば宅内情報盤へ伝送するようにしている。
【００１２】
上記記憶部４は想定されるガスの流れの異常情報をガイダンス文章として記憶しており、ガスメータ３によるガス流計測をもとに制御部３が異常と判断したとき、その異常の種類に適合したガイダンス文章をその都度記憶部４から呼び出し、通信部５から伝送する。
【００１３】
上記の構成において、使用者は宅内情報盤に表示されるガイダンス文章を見ることで、ガスメータ２で検出した異常の具体的なものを認識することができることとなり、ガス供給業者、或いは、ガス保安業者に対して適切な対応を依頼することができるものである。
【００１４】
（実施の形態２）
情報の隠匿性を高める目的で、記憶部４より呼び出したガイダンス文章を一旦暗号化処理手段６して通信部４より伝送し、宅内情報盤で非暗号化処理をしてガイダンス文章で表示することも可能である。またこの場合、制御部３が通信電文を暗号化して伝送するものであるから、テキストデータをそのまま伝送しても外部から盗み読みされることがなくなる。
【００１５】
（実施の形態３）
実施の形態３は、制御部３を介して読み出すガスメータ２の動作状況に対応するガイダンス文章を記憶部４に記憶されている複数の文章の中から選択できるように選択設定入力手段７を設けておけば、ガスメータ２が何らかの異常を検出した場合、ガス供給業者、或いは、ガス保安業者の処置判断の運用基準に適したガイダンス文章にてき、柔軟性に富む保安が可能となる。
【産業上の利用可能性】
【００１６】
本発明にかかるガス保安システムによれば、ガスメータの動作検出に対応するガイダンス文章を記憶部より読み出し、それを通信部を介して伝送するようにしたものであるから、異常発生時の対応が的確にできるようになり、他の流体の保安にも展開が可能である。
【図面の簡単な説明】
【００１７】
【図１】本発明の実施の形態を示すガス保安システムの構成図
【図２】従来のガス保安システムの構成図
【符号の説明】
【００１８】
２  ガスメータ
３  制御部
４  記憶部
５  通信部
６  暗号化処理手段
７  選択設定入力手段
【図１】
2006022974.tif 000003
【図２】
2006022974.tif 000004